(57)【特許請求の範囲】
【請求項１】
既設甲分水栓の下胴上端を下降コマによって閉塞して下胴から上胴を取外し、外周に変換分水栓の装着構造を備えたベースアダプタによって下胴上端を覆蓋すると共に、側部に給水配管の連結部と球弁操作機構を構成し、上部に球弁を介して垂直方向の穿孔機挿入孔、底部にベースアダプタとの着合機構、下側端に既設配管を包持するサドル機構を備える変換分水栓を装着して、変換分水栓の穿孔機挿入孔を通じて穿孔機により下胴コマごと通水穿孔することを特徴とする分水栓交換工法
【請求項２】
既設甲分水栓の下胴上端と着合する覆蓋体の外周に本体の装着構造を備えたベースアダプタと、側部に給水配管の連結部と球弁操作機構を構成し、上部に球弁を介して垂直方向の穿孔機挿入孔、底部にベースアダプタとの着合機構、下側端に既設配管を包持するサドル機構を備える本体とから成る変換分水栓
【請求項３】
外周に、着合本体の嵌着部に挿嵌して、その内壁面に密着密閉するＯリングを装着し、底部に既設甲分水栓の下胴上端に刻設した雄ねじと螺合する雌ねじを刻設した螺合孔を設けたことを特徴とするベースアダプタ
【発明の詳細な説明】
【０００１】
【産業上の利用分野】
本発明は、配水管から特定配管への分水に用いられてきた従来の甲分水栓を、分水の効率化のために用いられるようになったサドル付分水栓に交換するための分水栓交換工法とこれに用いられる変換分水栓に関するものである。
【０００２】
【従来の技術】
従来、配水本管から給水支管への分水は、配水本管に直接着合されて通水穿孔される下胴と給水支管への分水機構を内蔵する上胴となら成る甲分水栓によって行われてきたが、甲分水栓はボールバルブによる切替え止水ができず、耐震性や配水本管に対する着合支持力が充分でないうえ、配水本管に直接ねじを切るため錆が発生する等の問題があり、近時は殆どサドル付分水栓が用いられるようになり甲分水栓をサドル付分水栓に変換する必要が生じてきた。
【０００３】
しかし、配水本管の敷設替えにタイミングを合わせて、古い甲分水栓をサドル付分水栓に交換する場合は問題がないが、既設の配水本管をそのまま使用して分水栓だけを交換する場合には既設の甲分水栓から給水支管を外してコマとキャップで止水してそのまま甲分水栓を埋め殺し、その隣に新規にサドル付分水栓を設置することが行われてきた。
【０００４】
【発明が解決しようとする課題】
しかしながら、埋め殺し甲分水栓の隣に新規にサドル付分水栓を設置する場合、配水本管に対して埋め殺し分水栓の穿孔部に近接して新規分水栓の通水穿孔が行われることになり、配水本管の強度が低下する問題がある。
【０００５】
また、１本の配水本管に対して新旧２つの分水栓が設置される形になり、設置スペースが２倍かかることになるので、給水戸数が多い地域では配水本管上に新規分水栓の設置穿孔スペースが取れなくなることもある。
【０００６】
更に、古い甲分水栓を取り除いて新規分水栓を設置しようとすれば、配水本管の通水を遮断して作業を行わなければならなくなり、下流側の給水先が断水する大掛かりな工事とならざるを得ない。
【０００７】
更にまた、配水本管に対する甲分水栓の取付けは、鉄製の配水本管に直接雌ねじ孔を穿孔し、甲分水栓下胴の雄ねじ部を螺入して行なうため、配水本管穿孔部に発生する錆が分水栓内に滲み出してくることが問題となっている。
【０００８】
【課題を解決するための手段】
本発明は上記した課題に対応しようとするものであり、既設甲分水栓の止水コマを利用し、甲分水栓下胴上端を下降コマによって閉塞止水して配水本管からの通水を止め、配水本管に着合している下胴から分水機構と給水支管への連絡構造を持つ上胴を取外すようにしたものである。
【０００９】
上胴の取外しに次いで、外周に変換分水栓の装着構造を備えたベースアダプタによって下胴上端を覆蓋することによって、コマによって仮止水されている配水本管からの通水を遮断すると共に、ベースアダプタ外周に設けた分水栓装着構造によって、変換分水栓であるサドル付き分水栓の配水管を挟着包持するサドルの上部包持体部を配水本管に着合する。
【００１０】
更に、サドルの下部包持体を締着し給水支管を連結して配水本管への分水栓装着を完了し、変換分水栓の穿孔機挿入孔を通じて穿孔機により下胴コマごと通水穿孔するものである。
【００１１】
変換分水栓は、側部に給水配管の連結部と球弁操作機構を構成し、上部に球弁を介して垂直方向の穿孔機挿入孔、底部にベースアダプタとの着合機構、下側端に既設配管を包持するサドル機構を備えるもので、装着後は通常のサドル付分水栓と同一の機能を有することになる。
【００１２】
また、鉄製の配水本管の穿孔部に発生する錆の分水栓内滲み出しに対応して、配水本管への着合本体となる変換分水栓を着合するベースアダプタを、外周に、着合本体の嵌着部に挿嵌して、その内壁面に密着密閉するＯリングを装着し、底部に既設甲分水栓の下胴上端に刻設した雄ねじと螺合する雌ねじを刻設した螺合孔を設けて構成し、穿孔部と分水栓底部をＯリングによって密閉防水するように構成した。
【００１３】
【実施例】
以下、本発明の実施例を図面を参照して説明する。
図１は甲分水栓の設定状態を示す縦断面図で、配水本管Ａに直接雌ねじ２ａを切って穿孔し、下胴ａの雄ねじ１ａによって下胴ａを配水本管Ａに螺合して着合されている。
【００１４】
ｂは甲分水栓の上胴で側部に給水支管Ｂの連結部１ｂを備え、上端はキャップＣによって覆蓋され、下端は下胴ａの上端と螺合により接合されると共に開栓工具によって上胴ｂと下胴ａ間を上下動操作される止水コマＤが内蔵される。
【００１５】
分水栓の交換にあたっては、先ず、開栓工具によって止水コマＤを下降させて下胴ａの上端を閉塞止水して上胴ｂから給水支管Ｂの取外しを行い、更に、図２のように下胴ａから上胴ｂを取外し、外周に変換分水栓１の装着構造２１を備えたベースアダプタ２によって下胴上端を図３に示すように覆蓋する。
【００１６】
更に、図４に示すようにベースアダプタ２の装着構造部２１に変換分水栓１を装着するものであるが、装着構造部２１には変換分水栓１の嵌着部（覆着部）１３に挿嵌されるとその内壁面に密着密閉するＯリング２３が外周に装着されており、挿嵌により穿孔部と分水栓底部をＯリング２３が密閉防水し、鉄製の配水本管Ａの穿孔部に発生する錆の分水栓内滲み出しが防止される。
【００１７】
ベースアダプタ２の底部には、既設甲分水栓の下胴上端に刻設した雄ねじ１ａと螺合する雌ねじを刻設した螺合孔２４が設けられており、既設甲分水栓の下胴上端と螺合することにより既設甲分水栓の配設された配水本管Ａに着合され、これを通じて変換分水栓以外の着合本体の装着にも利用することができる。
【００１８】
変換分水栓１は側部に給水支管Ｂとの連結開口部３と球弁操作機構４を構成し、上部に球弁５を介して垂直方向の穿孔機挿入孔１１、中央部に球弁５を操作機構４と掛合して収容する球弁格納部１２、下部内周は装着構造２１と対応してベースアダプタ２を収容覆着する覆着部１３となっている。
【００１９】
また、変換分水栓１の下部外周にはサドルの上部包持体６が付設され、これとガスケット２２によって配水本管Ａの上面に分水栓本体１が着装されると共に、ボルトナット６２による下部包持体６１との締着により、配水本管Ａに変換分水栓１が装着固定される。
【００２０】
そこで、変換分水栓１のキャップ１４を外し、上部から穿孔機挿入孔１１、開栓状態となっている球弁５を通過してアダプタ２の上面まで穿孔機Ｅを挿入し、穿孔ドリル１ｅを回動して下胴コマＤごと配水本管Ａの上面に通水穿孔する。
【００２１】
この時、穿孔の呼び径は交換される旧甲分水栓の穿孔呼び径と同一の呼び径によって行ない、銅製の下胴コマＤの外周が環状に残存して下胴と共に分水路を構成するようにする。なお、穿孔時には穿孔機Ｅの止水栓２ｅを予め開栓して行い、ドリルが通水部位に達すると同時に切削屑が配水本管Ａの通水圧によって噴き上げられ止水栓２ｅから排出されるようにする。
【００２２】
通水穿孔が完了した時点で、球弁５を閉栓して止水し給水支管Ｂを連結開口部３に連結して球弁５を開栓することにより、甲分水栓とサドル付分水栓の交換が完了するものである。
【００２３】
本発明は以上のように構成したので、アダプタ２が密着コアの作用をして改めてコアを挿着することなく配水本管Ａの穿孔部に発生する錆の分水栓内滲み出しを防止でき、更に、配水本管に余分な穿孔が並列されて配水本管の強度が損なわれることがなく、配水下流の断水といった大掛かりな工事を避けて比較的容易に旧甲分水栓を除去して新規に対応するサドル付分水栓への交換を可能としたものである。
【図面の簡単な説明】
【図１】旧甲分水栓の配水本管への付設状態と構造を示す断面図
【図２】本発明の実施例を示す工程図で、旧甲分水栓の止水コマを下降して下胴の上端を閉塞止水して給水支管と上胴を取り外した状態を示す断面図
【図３】同じく、止水コマの上部に変換分水栓のアダプタを覆設した状態を示す断面図
【図４】同じく、アダプタに変換分水栓を組み付け、サドルによる配水本管への包持着合を行なった状態を示す断面図
【図５】同じく、組み付けた変換分水栓に穿孔機を挿入して配水本管への通水穿孔を行なっている状態を示す断面図
【図６】同じく、組み付けた変換分水栓の配水本管への通水穿孔を完了して球弁を閉弁した状態を示す断面図
【図７】同じく、組み付けた変換分水栓の配水本管への通水穿孔を完了した時点での通水穿孔部の要部拡大断面図
【符号の説明】
１  変換分水栓
１ａ    甲分水栓の配水本管への付設雄ねじ
１ｂ  甲分水栓の給水支管連結部
１１  変換分水栓の穿孔機挿入孔
１２  変換分水栓の球弁格納部
１３    変換分水栓の覆着部
１４  変換分水栓のキャップ
２  変換分水栓ベースアダプタ
２ａ  配水本管の甲分水栓付設雌ねじ
２１  アダプタの変換分水栓装着構造
２２    ガスケット
２３    ベースアダプタ外周のＯリング
２４    ベースアダプタ底部の雌ねじを刻設した螺合孔
３  変換分水栓の給水支管連結開口部
４  球弁操作機構
５  球弁
６  上部包持体
６１  下部包持体
６２  ボルトナット
Ａ  配水本管
Ｂ  給水支管
Ｃ  甲分水栓のキャップ
Ｄ  止水コマ
Ｅ  穿孔機
１ｅ  穿孔ドリル
２ｅ  穿孔機の止水栓
ａ  甲分水栓の下胴
ｂ  甲分水栓の上胴
【図１】
0003626463.tif 000002
【図２】
0003626463.tif 000003
【図３】
0003626463.tif 000004
【図４】
0003626463.tif 000005
【図５】
0003626463.tif 000006
【図６】
0003626463.tif 000007
【図７】
0003626463.tif 000008